(57)【要約】【課題】１つの筐体に再生装置と記録装置とを含む装置であって、使用者にとって容易なダビング機能を実現させることを目的とする。【解決手段】一体型機器１００は、その筐体に再生装置１１０と記録装置１２０を含む。スイッチ１３０によりダビング制御部１４０にダビング開始タイミングを指示し、ダビング制御部１４０は、これにより再生装置１１０へ再生開始タイミングを、記録装置１２０へ記録開始タイミングを指示する。タイミング制御部１４０からの制御により、再生装置１１０は、再生メディア１１１から映像音声信号を検出してダビングに要する所望の処理を施して出力し、記録装置１２０は、これを受けて同じく所望の処理を施して記録メディア１２１に記録する。これにより、特に異なるメディア間のダビングあっても、煩雑な操作を必要とせずにダビングすることができる。【選択図】  図１
2004289594.tif 000002
【特許請求の範囲】
【請求項１】
１つの筐体に１以上の再生装置と記録装置とを含む装置であって、
再生メディアに記録されている映像音声信号を再生させる前記再生装置と、
記録メディアに映像音声信号を記録する前記記録装置と、
記録と再生を同期して行うためのタイミングを作成するスイッチと、
前記スイッチからのタイミングに基づき前記再生装置の再生と前記記録装置の記録とを制御するダビング制御部とを備えた映像音声信号記録再生装置。
【請求項２】
前記再生装置は、前記ダビング制御部の指示により再生メディアから音声信号を検出する再生部と、
前記再生部から受信した前記音声信号を使用者の指示を必要とせずに音声出力をステレオで行い前記記録装置へ送信する音声信号制御部とを備えたことを特徴とする請求項１記載の映像音声信号記録再生装置。
【請求項３】
前記再生装置は、前記ダビング制御部の指示によりオンスクリーン信号を抑制するオンスクリーン制御部と、
前記ダビング制御部の指示により再生メディアから映像信号を検出する再生部と、
前記再生部から受信した前記映像信号と前記オンスクリーン制御部から受信したオンスクリーン信号を前記記録装置へ送信する映像信号制御部とを備えたことを特徴とする請求項１記載の映像音声信号記録再生装置。
【請求項４】
前記記録装置は、前記ダビング制御部の指示により記録メディアへ映像音声信号を記録する記録部と、
前記再生装置からの映像音声信号を受信するダビング入力制御部と、
チューナーや外部入力からの信号を受信するチューナー／外部入力制御部と、
前記ダビング制御部の指示によって前記ダビング入力制御部と前記チューナー／外部入力制御部から受信した前記映像音声信号を選択し記録部に送信する入力信号制御部とを備えたことを特徴とする請求項１記載の映像音声信号記録再生装置。
【請求項５】
前記再生装置は、前記ダビング制御部の指示により再生メディアから音声信号を検出する再生部と、
前記再生部から受信した前記音声信号に含まれる音声多重情報を検出し前記音声信号と前記音声多重情報を前記記録装置へ送信する音声信号制御部とを備え、
前記記録装置は、前記再生装置から受信した前記音声多重情報により記録部へ送信する前記音声信号を変化させる音声信号制御部と、
前記ダビング制御部の指示により記録メディアへ前記音声信号を記録する記録部と、
前記記録メディアの媒体種類を判別する記録メディア判別部とを備えたことを特徴とする請求項１記載の映像音声信号記録再生装置。
【請求項６】
前記再生装置は、前記ダビング制御部の指示により再生メディアから番組情報を検出する再生部と、
前記再生部から受信した前記番組情報を前記記録装置へ送信する番組情報制御部とを備え、
前記記録装置は、前記再生装置から受信した前記番組情報を記録部へ送信する番組情報制御部と、
前記ダビング制御部の指示により記録メディアへ前記番組情報を記録する前記記録部とを備えたことを特徴とする請求項１記載の映像音声信号記録再生装置。
【請求項７】
１つの筐体にＶＣＲ機能を持った再生装置と記録型ＤＶＤ機能を持った記録装置とを含む装置であって、
前記再生装置は、再生メディアから映像信号と音声信号と番組頭出し信号と記録位置管理情報を検出する再生部と、
前記再生部から受信した前記映像信号を前記記録装置へ送信する映像信号制御部と、
前記再生部から受信した前記音声信号を前記記録装置へ送信する音声信号制御部と、
前記再生部から受信した前記番組頭出し信号を前記記録装置へ送信する番組頭出し信号制御部と、
前記再生部からの前記記録位置管理情報を受信したＣＴＬ信号検出部と、
前記ＣＴＬ信号検出部と前記番組頭出し信号制御部によって再生メディアを制御するＶＣＲメカとを備え、
前記記録装置は、記録メディアに対して前記映像信号と前記音声信号を記録する記録部と、
前記再生装置から受信した前記映像信号を前記記録部へ送信する映像信号制御部と、
前記再生装置から受信した前記音声信号を前記記録部へ送信する音声信号制御部と、
前記再生装置から受信した前記番組頭出し信号によって記録メディアに記録する前記映像信号と前記音声信号を分割する制御を行う番組分割制御部とを備えた映像音声信号記録再生装置。
【請求項８】
１つの筐体にＶＣＲ機能を持った再生装置と記録型ＤＶＤ機能を持った記録装置とを含む装置であって、
前記再生装置は、再生メディアから映像音声信号と番組頭出し信号を検出する再生部と、
前記再生部から受信した前記映像音声信号を前記記録装置へ送信する映像音声信号制御部と、
前記再生部から受信した前記番組頭出し信号を前記記録装置へ送信する番組頭出し信号制御部とを備え、
前記記録装置は、記録メディアに対して前記映像音声信号を記録する記録部と、
前記再生装置から受信した前記映像音声信号を前記記録部へ送信する映像音声信号制御部と、
前記再生装置から受信した前記番組頭出し信号を蓄えるメモリと、
前記メモリに蓄えられた前記番組頭出し信号によって記録された前記映像信号と前記音声信号に対して番組分割を行う番組分割制御部とを備えた映像音声信号記録再生装置。
【請求項９】
１つの筐体に複数のＤＶＤ再生機能を持った再生装置とＶＣＲ機能を持った記録装置とを含む装置であって、
前記再生装置は、再生メディアから映像音声信号と番組切り替わり信号を検出する再生部と、
前記再生部から受信した前記映像音声信号を前記記録装置へ送信する映像音声信号制御部と、
前記再生部から受信した前記番組切り替わり信号を前記記録装置へ送信する番組切り替わり信号制御部とを備え、
前記記録装置は、記録メディアに対して前記映像音声信号を記録する記録部と、
前記再生装置から受信した前記映像音声信号を前記記録部へ送信する映像音声信号制御部と、
前記再生装置から受信した前記番組切り替わり信号によって前記記録メディアに番組頭出し信号を書き込む番組頭出し信号書き込み部とを備えた映像音声信号記録再生装置。
【発明の詳細な説明】
【０００１】
【発明の属する技術分野】
本発明は、１つの筐体に１以上の再生装置と記録装置とを含む映像音声信号記録再生装置におけるダビング機能に関するものである。
【０００２】
【従来の技術】
近年、１つの筐体に１以上の再生装置と記録装置とを含む機器において、たとえばＶＣＲ機能と記録型ＤＶＤ機能を有する映像音声信号記録再生装置の双方向のダビング機能を有する機器が開発されるに至っている。従来の映像音声信号記録再生装置としては、特許文献１に記載されたものが知られている。
【０００３】
以下に従来の映像音声信号記録再生装置について説明する。
【０００４】
図１０は、従来の映像音声信号記録再生装置（一体型機器１０００）の構成を示すブロック図である。図１０において、１０はＶＣＲ（ビデオ・カセット・レコーダ）機能を有する再生装置である。２０は記録型ＤＶＤ（デジタル・ビデオ・ディスク）機能を有する記録装置である。１２はＶＣＲ機能で使用する磁気テープである再生メディアである。２２は記録型ＤＶＤ機能で使用する圧縮符号化信号を記録する光ディスクである記録メディアである。１１は再生メディア１２から映像音声信号と番組頭出し信号を検出する再生部である。１４は再生部１１から受信する映像音声信号を記録装置２０へ送信する映像音声信号制御部である。１３は再生部１１から受信する番組頭出し信号を記録装置２０へ送信する番組頭出し信号制御部である。２４は映像音声信号制御部１４から映像音声信号を受信する映像音声信号制御部である。２３は番組頭出し信号制御部１３から番組頭出し信号を受信する番組分割制御部である。２１は映像音声信号制御部２４から受信する映像音声信号を記録メディア２２へ記録し番組分割制御部２３によって記録された映像音声信号を分割する記録部である。
【０００５】
以上のように構成された従来の映像音声信号記録再生装置について、以下その動作について説明する。
【０００６】
まず、再生が始まると再生装置１０内の再生部１１によって再生メディア１２より再生信号が検出される。再生部１１で再生信号から映像音声信号と番組頭出し信号を検出する。検出された映像音声信号は映像音声信号制御部１４に送信され記憶装置２０内の映像音声信号制御部２４に送信される。また検出された番組頭出し信号は番組頭出し信号制御部１３に送信され記憶装置２０内の番組分割制御部２３に送信される。記録装置２０内の記録部２１では映像音声信号制御部２４から送信された映像音声信号を記録メディア２２に記録するが、この再生装置１０内の番組頭出し信号制御部１３より記録装置２０内の番組分割制御部２３に番組頭出し信号が送信されていれば記録メディア２２に記録される映像音声信号を分割して記録する機能を有する。
【０００７】
【特許文献１】
特開２００１−１６５４０号公報
【０００８】
【発明が解決しようとする課題】
しかしながら上記の従来の構成では、再生部１１で検出した番組頭出し信号のタイミングと記録部２１で番組分割するタイミングがずれ、使用者が番組の頭だと認識している記録位置より後ろにずれた位置で番組を分割してしまい、本当の番組の頭から分割できていないという問題点を有していた。
【０００９】
また、ダビングを行う際に再生装置１０に再生を促すタイミングと記録装置２０に録画を促すタイミングを作成するのに複数の操作が必要であり、使用者に煩わしさを感じさせるという問題点を有していた。
【００１０】
本発明は上記従来の問題点を解決するもので、ダビング機能における番組分割による頭出し精度を良くすることと、ダビングを行うにあたっての操作の簡略を可能とした映像音声信号記録再生装置を提供することを目的とする。
【００１１】
【課題を解決するための手段】
この目的を達成するために本発明の映像音声信号記録再生装置は、１つの筐体に１以上の再生装置と記録装置とを含む装置であって、再生メディアに記録されている映像音声信号を再生させる再生装置と、記録メディアに映像音声信号を記録する記録装置と、記録と再生を同期して行うためのタイミングを作成するスイッチと、再生装置と記録装置を制御するダビング制御部とを備えた構成を有している。
【００１２】
この構成によって、１つのスイッチにて記録と再生を同期して開始させることが出来るので、ダビングを行うにあたっての操作の簡略化を得ることが出来る。
【００１３】
また、１つの筐体にＶＣＲ機能を持った再生装置と記録型ＤＶＤ機能を持った記録装置とを含む装置であって、再生装置は、再生メディアから映像信号と音声信号と番組頭出し信号と記録位置管理情報を検出する再生部と、再生部から受信した映像信号を記録装置へ送信する映像信号制御部と、再生部から受信した音声信号を記録装置へ送信する音声信号制御部と、再生部から受信した番組頭出し信号を記録装置へ送信する番組頭出し信号制御部と、再生部からの記録位置管理情報を受信したＣＴＬ信号検出部と、ＣＴＬ信号検出部と番組頭出し信号制御部によって再生メディアを制御するＶＣＲメカとを備え、記録装置は、記録メディアに対して映像信号と音声信号を記録する記録部と、記録装置内にあって再生装置から受信した映像信号を記録部へ送信する映像信号制御部と、記録装置内にあって再生装置から受信した音声信号を記録部へ送信する音声信号制御部と、記録装置内にあって再生装置から受信した番組頭出し信号によって記録メディアに記録する映像信号と音声信号を分割する制御を行う番組分割制御部とを備えた構成を有している。
【００１４】
この構成によって、ダビング機能における番組分割による頭出し精度を良くする効果を得ることが出来る。
【００１５】
【発明の実施の形態】
本発明の請求項１に記載の発明は、１つの筐体に１以上の再生装置と記録装置とを含む装置であって、再生メディアに記録されている映像音声信号を再生させる再生装置と、記録メディアに映像音声信号を記録する記録装置と、記録と再生を同期して行うためのタイミングを作成するスイッチと、再生装置と記録装置を制御するダビング制御部とを備えたことを特徴とするものであり、１つのスイッチを押下することにより、再生と記録を同期して開始させることが出来るという作用を有する。
【００１６】
本発明の請求項２に記載の発明は、上記請求項１に係る発明において、再生装置は、ダビング制御部の指示により再生メディアから音声信号を検出する再生部と、再生部から受信した音声信号を使用者の指示を必要とせずに音声出力をステレオで行い記録装置へ送信する音声信号制御部とを備えたことを特徴とするものであり、１つのスイッチを押下することにより、再生メディアに記録されている音声信号を欠損させることなく記録を行うことが出来るという作用を有する。
【００１７】
本発明の請求項３に記載の発明は、上記請求項１に係る発明において、再生装置は、ダビング制御部の指示によりオンスクリーン信号を抑制するオンスクリーン制御部と、ダビング制御部の指示により再生メディアから映像信号を検出する再生部と、再生部から受信した映像信号とオンスクリーン制御部から受信したオンスクリーン信号を記録装置へ送信する映像信号制御部とを備えたことを特徴とするものであり、１つのスイッチを押下することにより、再生装置に備わるオンスクリーン表示を記録メディアに影響させることなく記録を行うことが出来るという作用を有する。
【００１８】
本発明の請求項４に記載の発明は、上記請求項１に係る発明において、記録装置は、ダビング制御部の指示により記録メディアへ映像音声信号を記録する記録部と、再生装置からの映像音声信号を受信するダビング入力制御部と、チューナーや外部入力からの信号を受信するチューナー／外部入力制御部と、ダビング制御部の指示によってダビング入力制御部とチューナー／外部入力制御部から受信した映像音声信号を選択し記録部に送信する入力信号制御部とを備えたことを特徴とするものであり、１つのスイッチを押下することにより、記録装置に記録されるダビング入力制御部を選択し再生装置から送信される映像音声信号などを記録することが出来るという作用を有する。
【００１９】
本発明の請求項５に記載の発明は、上記請求項１に係る発明において、再生装置は、ダビング制御部の指示により再生メディアから音声信号を検出する再生部と、再生部から受信した音声信号に含まれる音声多重情報を検出し音声信号と音声多重情報を記録装置へ送信する音声信号制御部とを備え、記録装置は、再生装置から受信した音声多重情報により記録部へ送信する音声信号を変化させる音声信号制御部と、ダビング制御部の指示により記録メディアへ音声信号を記録する記録部と、記録メディアの媒体種類を判別する記録メディア判別部とを備えたことを特徴とするものであり、１つのスイッチを押下することにより、再生メディアに記録されている音声信号を欠損させることなく記録することが出来るという作用を有する。
【００２０】
本発明の請求項６に記載の発明は、上記請求項１に係る発明において、再生装置は、ダビング制御部の指示により再生メディアから番組情報を検出する再生部と、再生部から受信した番組情報を記録装置へ送信する番組情報制御部とを備え、記録装置は、再生装置から受信した番組情報を記録部へ送信する番組情報制御部と、ダビング制御部の指示により記録メディアへ番組情報を記録する記録部とを備えたことを特徴とするものであり、１つのスイッチを押下することにより、再生メディアに記録されている番組情報を記録することが出来るという作用を有する。
【００２１】
本発明の請求項７に記載の発明は、１つの筐体にＶＣＲ機能を持った再生装置と記録型ＤＶＤ機能を持った記録装置とを含む装置であって、再生装置は、再生メディアから映像信号と音声信号と番組頭出し信号と記録位置管理情報を検出する再生部と、再生部から受信した映像信号を記録装置へ送信する映像信号制御部と、再生部から受信した音声信号を記録装置へ送信する音声信号制御部と、再生部から受信した番組頭出し信号を記録装置へ送信する番組頭出し信号制御部と、再生部からの記録位置管理情報を受信したＣＴＬ信号検出部と、ＣＴＬ信号検出部と番組頭出し信号制御部によって再生メディアを制御するＶＣＲメカとを備え、記録装置は、記録メディアに対して映像信号と音声信号を記録する記録部と、再生装置から受信した映像信号を記録部へ送信する映像信号制御部と、再生装置から受信した音声信号を記録部へ送信する音声信号制御部と、再生装置から受信した番組頭出し信号によって記録メディアに記録する映像信号と音声信号を分割する制御を行う番組分割制御部とを備えたことを特徴とするものであり、番組分割の際にＶＣＲメカにより磁気テープを巻き戻すことにより、再生メディアに記録されている映像音声信号を欠損させることなく番組分割し記録することが出来るという作用を有する。
【００２２】
本発明の請求項８に記載の発明は、１つの筐体にＶＣＲ機能を持った再生装置と記録型ＤＶＤ機能を持った記録装置とを含む装置であって、再生装置は、再生メディアから映像音声信号と番組頭出し信号を検出する再生部と、再生部から受信した映像音声信号を記録装置へ送信する映像音声信号制御部と、再生部から受信した番組頭出し信号を記録装置へ送信する番組頭出し信号制御部とを備え、記録装置は、記録メディアに対して映像音声信号を記録する記録部と、再生装置から受信した映像音声信号を記録部へ送信する映像音声信号制御部と、再生装置から受信した番組頭出し信号を蓄えるメモリと、メモリに蓄えられた番組頭出し信号によって記録された映像信号と音声信号に対して番組分割を行う番組分割制御部とを備えたことを特徴とするものであり、記録が終わってから番組分割を行うことにより、記録の際の番組切り替わり時に再生及び記録を止めることなくダビングを行うことが出来、また番組の頭を欠損させることなく番組分割し記録することが出来るという作用を有する。
【００２３】
本発明の請求項９に記載の発明は、１つの筐体に複数のＤＶＤ再生機能を持った再生装置とＶＣＲ機能を持った記録装置とを含む装置であって、再生装置は、再生メディアから映像音声信号と番組切換り信号を検出する再生部と、再生部から受信した映像音声信号を前記記録装置へ送信する映像音声信号制御部と、再生部から受信した番組切換り信号を記録装置へ送信する番組切換り信号制御部とを備え、記録装置は、記録メディアに対して映像音声信号を記録する記録部と、再生装置から受信した映像音声信号を記録部へ送信する映像音声信号制御部と、再生装置から受信した番組切り替わり信号によって記録メディアに番組頭出し信号を書き込む番組頭出し信号書き込み部とを備えたことを特徴とするものであり、再生メディアに記録されている複数の番組の番組切り替わりタイミングを記録メディアに通知し番組頭出し信号を書き込む事で、ダビング実行後に番組検索を容易に行うことが出来るという作用を有する。
【００２４】
以下、本発明の実施の形態について、図１から図９を用いて説明する。
【００２５】
（実施の形態１）
図１は、本発明の実施の形態１における映像音声信号記録再生装置の構成を示すブロック図である。
【００２６】
図１において、一体型機器１００は、１つの筐体に各々１以上の再生装置１１０と記録装置１２０を含む機器であり、再生装置１１０はＶＣＲ機能を有し記録装置１２０は記録型ＤＶＤ機能を有していても構わない。なお、再生装置１１０はＤＶＤ機能を有し、記録装置１２０はＶＣＲ機能を有していても構わない。また、記録再生の両方の機能を有する装置が２つでも構わない。
【００２７】
１３０はダビング制御部１４０にダビング開始タイミングを指示するためのスイッチである。１４０はスイッチ１３０の押下により再生装置１１０へ再生開始タイミングを指示し、記録装置１２０へ記録開始タイミングを指示するダビング制御部である。１１０は再生メディア１１１に記録されている映像音声信号などを検出する再生装置である。１２０は記録メディア１２１に映像音声信号などを記録するための記録装置である。１１１は映像音声信号などが記録されている再生メディアである。１２１は映像音声信号などを記録するための記録メディアである。
【００２８】
以上のように構成された映像音声信号記録再生装置について、図１を用いてその動作を説明する。まず、使用者はスイッチ１３０を押下することによって、再生装置１１０から記録装置１２０へのダビングを開始する旨をダビング制御部１４０に指示する。ダビング制御部１４０はスイッチ１３０の指示により、再生装置１１０に再生メディア１１１から映像音声信号などを検出させるための動作を促し、記録装置１２０に記録メディア１２１に映像音声信号などを記録させるための動作を促す。この時、ダビング制御部１４０の指示によって再生装置１１０の動作と記録装置１２０の動作の同期を取ることが出来るものである。
【００２９】
同期を取るために、ダビング制御部１４０は、再生装置１１０に用いられる再生メディア１１１、記録装置１２０に用いられる記録メディア１２１に基づき、そのタイミングを個々に制御すればよい。例えば、再生装置１１０または記録装置１２０が、テープ状磁気媒体を用いるものであるならば、テープのローディングなどの時間を考慮すれば良いし、光ディスク装置であるならば、インデックス情報など記録や再生に必要な情報を読み出したりするための時間を考慮すれば良い。
【００３０】
以上のように本実施の形態によれば、再生装置１１０と記録装置１２０を制御するダビング制御部１４０を設けることにより、使用者はダビングタイミング調整することなく、容易にダビングの再生と記録の同期を取ることが出来る。
【００３１】
（実施の形態２）
図２は、本発明の実施の形態２による映像音声信号記録再生装置の構成を示すブロック図であり、実施の形態１に対して再生装置の詳細が異なるものである。
【００３２】
図２において、一体型機器２００は、１つの筐体に複数の再生装置２１０と記録装置２２０を含む機器であり、再生装置２１０はＶＣＲ機能を有し記録装置２２０は記録型ＤＶＤ機能を有していても構わない。なお、再生装置２１０はＤＶＤ機能を有し、記録装置２２０はＶＣＲ機能を有していても構わない。
【００３３】
２３０はダビング制御部２４０にダビング開始タイミングを指示するためのスイッチである。２４０はスイッチ２３０の押下により再生部２１１へ再生開始タイミングを指示し、記録装置２２０へ記録開始タイミングを指示するダビング制御部である。２１１は再生メディア２１２に記録されている音声信号を検出する再生部である。２２０は記録メディアなどに映像音声信号などを記録するための記録装置である。２１２は映像音声信号などが記録されている再生メディアである。２１３は再生部２１１から音声信号を受信し、音声出力状態を制御する音声信号制御部である。
【００３４】
以上のように構成された映像音声信号記録再生装置について、図２を用いてその動作を説明する。まず、使用者はスイッチ２３０を押下することによって、ダビングを開始する旨をダビング制御部２４０に指示する。ダビング制御部２４０はスイッチ２３０の指示により、再生部２１１に再生メディア２１２から音声信号を検出させるための動作を促す。再生部２１１は音声信号制御部２１３へ音声信号を送信する。音声信号制御部２１３は、再生部２１１から受信した音声信号の音声出力状態を再生メディアに記録された状態のまま記録装置２２０へ送信する。
【００３５】
すなわち、再生装置２１０からの音声信号の出力形態をステレオとして、記録装置２２０に出力する。従って、再生メディア２１２に記録された状態のまま、記録装置２２０に出力することができるので、再生メディア２１２の状態を保存することができる。
【００３６】
以上のように本実施の形態２によれば、再生装置２１０内に音声信号制御部２１３を設けることにより、使用者は容易に再生メディアの音声信号を欠損させることなくダビングを行うことが出来る。
【００３７】
（実施の形態３）
図３は、本発明の実施の形態３による映像音声信号記録再生装置の構成を示すブロック図であり、上記実施の形態に対して再生装置の詳細が異なるものである。
【００３８】
図３において、一体型機器３００は、１つの筐体に複数の再生装置３１０と記録装置３２０を含む機器であり、再生装置３１０はＶＣＲ機能を有し記録装置３２０は記録型ＤＶＤ機能を有していても構わない。なお、再生装置３１０はＤＶＤ機能を有し、記録装置３２０はＶＣＲ機能を有していても構わない。
【００３９】
３３０はダビング制御部３４０にダビング開始タイミングを指示するためのスイッチである。３４０はスイッチ３３０の押下により再生部３１１へ再生開始タイミングを指示し、記録装置３２０へ記録開始タイミングを指示するダビング制御部である。３１１は再生メディア３１２に記録されている映像信号を検出する再生部である。３２０は記録メディアなどに映像音声信号などを記録するための記録装置である。３１２は映像音声信号などが記録されている再生メディアである。３１３は再生部３１１から映像信号を受信し、記録装置３２０へ映像信号を送信する映像信号制御部である。３１４は再生装置３１０のオンスクリーン表示を制御するオンスクリーン制御部である。
【００４０】
以上のように構成された映像音声信号記録再生装置について、図３を用いてその動作を説明する。まず、使用者はスイッチ３３０を押下することによって、ダビングを開始する旨をダビング制御部３４０に指示する。ダビング制御部３４０はスイッチ３３０の指示により、再生部３１１に再生メディア３１２から映像信号を検出させるための動作を促す。再生部３１１は映像信号制御部３１３へ映像信号を送信する。映像信号制御部３１３は受信した映像信号を記録装置２２０へ送信する。オンスクリーン制御部３１４はダビング制御部３４０からの指示によりダビング実行中はオンスクリーン表示を抑制（オフに）する。
【００４１】
以上のように本実施の形態３によれば、再生装置３１０内に、ダビング制御部３４０に連動するオンスクリーン制御部３１４を設けることにより、使用者はダビング実行中に再生装置３１０のオンスクリーン表示の有無を気にすることなく、記録に余分な映像を含ませることなく、容易にダビングを行うことが出来る。
【００４２】
（実施の形態４）
図４は、本発明の実施の形態４による映像音声信号記録再生装置の構成を示すブロック図であり、上記実施の形態に対して、記録装置の詳細が異なるものである。
【００４３】
図４において、一体型機器４００は、１つの筐体に複数の再生装置４１０と記録装置４２０を含む機器であり、再生装置４１０はＶＣＲ機能を有し記録装置４２０は記録型ＤＶＤ機能を有していても構わない。なお、再生装置４１０はＤＶＤ機能を有し、記録装置４２０はＶＣＲ機能を有していても構わない。
【００４４】
４３０はダビング制御部４４０にダビング開始タイミングを指示するためのスイッチである。４４０はスイッチ４３０の押下により再生装置４１０へ再生開始タイミングを指示し、記録部４２１へ記録開始タイミングを指示するダビング制御部である。４１０はダビング制御部４４０の指示により再生動作を行う再生装置である。４２２は映像音声信号などを記録できる記録メディアである。４２１は記録メディア４２２に映像音声信号など記録する記録部である。４２５は再生装置より送信される映像音声信号などを受信するダビング入力制御部である。４２３はチューナーや外部入力より映像音声信号などを受信するチューナー／外部入力制御部である。４２４はダビング入力４２５とチューナー／外部入力制御部４２３からの映像音声信号などを受信しダビング制御部４４０からの指示により記録部４２１へ送信する信号を選択する入力信号制御部である。
【００４５】
以上のように構成された映像音声信号記録再生装置について、図４を用いてその動作を説明する。まず、使用者はスイッチ４３０を押下することによって、ダビングを開始する旨をダビング制御部４４０に指示する。ダビング制御部４４０はスイッチ４３０の指示により、再生装置４１０に再生を行うための動作を促す。再生装置４１０は映像音声信号などをダビング入力制御部４２５へ送信する。ダビング入力制御部４２５は入力信号制御部４２４へ映像音声信号などを送信する。入力信号制御部４２４はダビング実行中であればダビング制御部４４０からの指示によりダビング入力制御部４２５からの映像音声信号などを記録部４２１へ送信する。記録部４２１は受信した映像音声信号などを記録メディア４２２へ記録する。
【００４６】
以上のように本実施の形態４によれば、記録装置４２０内に入力信号制御部４２４をダビング制御部４４０と連動して設けることにより、使用者はダビングを開始させる際にダビングすべき映像音声信号などの入力元を気にすることなく、容易にダビングを行うことが出来る。
【００４７】
なお、ダビング終了後は、ダビング開始前の接続状態に戻す様にしてもよい。
【００４８】
（実施の形態５）
図５は本発明の実施の形態５による映像音声信号記録再生装置の構成を示すブロック図であり、上記実施の形態に対して、再生装置と記録装置の詳細が異なるものである。
【００４９】
図５において、一体型機器５００は、１つの筐体に複数の再生装置５１０と記録装置５２０を含む機器であり、再生装置５１０はＶＣＲ機能を有し記録装置５２０は記録型ＤＶＤ機能を有していても構わない。なお、再生装置５１０はＤＶＤ機能を有し、記録装置５２０はＶＣＲ機能を有していても構わない。
【００５０】
５３０はダビング制御部５４０にダビング開始タイミングを指示するためのスイッチである。５４０はスイッチ５３０の押下により再生部５１１へ再生開始タイミングを指示し、記録部５２１へ記録開始タイミングを指示するダビング制御部である。５１２は映像音声信号などを記録してある再生メディアである。５１１は再生メディア５１２から映像音声信号などを検出する再生部である。５１３は再生部５１１より送信される音声信号と音声多重情報を受信する音声信号制御部である。５２２は映像音声信号などを記録できる記録メディアである。５２１は記録メディア５２２に映像音声信号など記録する記録部である。５２３は音声信号制御部５１３より送信される音声信号と音声多重情報を受信する音声信号制御部である。５２４は記録メディア５２２の記録メディア種類を判別する記録メディア判別部である。
【００５１】
以上のように構成された映像音声信号記録再生装置について、図５を用いてその動作を説明する。まず、使用者はスイッチ５３０を押下することによって、ダビングを開始する旨をダビング制御部５４０に指示する。ダビング制御部５４０はスイッチ５３０の指示により、再生部５１１に再生を行うための動作を促す。再生部５１１は再生メディア５１２より音声信号と音声多重情報を検出し音声信号制御部５１３へ送信する。音声信号制御部５１３は音声信号と音声多重情報を音声信号制御部５２３へ送信する。音声信号制御部５２３は音声信号と音声多重情報を記録部５２１へ送信する。記録メディア判別部５２４は記録メディア５２２の記録メディア種類を判別し記録メディア種類情報を記録部５２１へ送信する。ダビング制御部５４０によって記録を行うための動作を促された記録部５２１は記録メディア種類が音声切換の出来ないＤＶＤ−Ｒなどであり、かつ音声多重情報が２カ国語放送である時は、使用者が設定した任意の記録音声設定（Ｌ＋ＬまたはＲ＋ＲまたはＬ＋Ｒ）にしたがった音声信号記録を行う。
【００５２】
以上のように本実施の形態５によれば、記録装置５２０内に記録メディア判別部５２４を設けることにより、使用者はダビング実行における記録メディアの種類が音声切換の出来ないＤＶＤ−Ｒなどであっても、使用者の設定した任意の記録音声設定で、容易にダビングを行うことが出来る。
【００５３】
（実施の形態６）
図６は、本発明の実施の形態６による映像音声信号記録再生装置の構成を示すブロック図であり、上記実施の形態に対して、再生装置及び記録装置の詳細が異なるものである。
【００５４】
図６において、一体型機器６００は、１つの筐体に複数の再生装置６１０と記録装置６２０を含む機器であり、再生装置６１０はＶＣＲ機能を有し記録装置６２０は記録型ＤＶＤ機能を有していても構わない。なお、再生装置６１０はＤＶＤ機能を有し、記録装置６２０はＶＣＲ機能を有していても構わない。
【００５５】
６３０はダビング制御部６４０にダビング開始タイミングを指示するためのスイッチである。６４０はスイッチ６３０の押下により再生部６１１へ再生開始タイミングを指示し、記録部６２１へ記録開始タイミングを指示するダビング制御部である。６１２は映像音声信号などを記録してある再生メディアである。６１１は再生メディア６１２から映像音声信号などを検出する再生部である。６１３は再生部６１１より送信される映像音声信号などから番組情報を検出する番組情報制御部である。６２２は映像音声信号などを記録できる記録メディアである。６２１は記録メディア６２２に映像音声信号など記録する記録部である。６２３は番組情報制御部６１３よりより送信される番組情報を受信する番組情報制御部である。
【００５６】
以上のように構成された映像音声信号記録再生装置について、図６を用いてその動作を説明する。まず、使用者はスイッチ６３０を押下することによって、ダビングを開始する旨をダビング制御部６４０に指示する。ダビング制御部６４０はスイッチ６３０の指示により、再生部６１１に再生を行うための動作を促す。再生部６１１は再生メディア６１２より映像音声信号などを検出する。番組情報制御部６１３は再生部６１１より記録日・記録開始時間・記録終了時間・記録チャンネル・記録録画モード・記録番組タイトル・記録内容要約・デジタル放送におけるデータ放送内容などを含んだ番組情報を検出する。番組情報制御部６１３は番組情報を番組情報制御部６２３へ送信する。番組情報制御部６２３は記録部６２１へ番組情報を送信する。記録部６２１は記録メディア６２２に番組情報を記録する。
【００５７】
以上のように本実施の形態６によれば、再生装置６１０内に番組情報制御部６１３と記録装置６２０内に番組情報制御部６２３を設けることにより、使用者は容易に再生メディアに記録された番組情報を欠損させることなく記録メディアにコピーすることが出来る。
【００５８】
（実施の形態７）
図７は本発明の実施の形態７による映像音声信号記録再生装置の構成を示すブロック図である。
【００５９】
図７において、一体型機器７００は、１つの筐体に複数の再生装置７１０と記録装置７２０を含む機器であり、再生装置７１０はＶＣＲ機能を有し記録装置７２０は記録型ＤＶＤ機能を有している。
【００６０】
７１２は映像音声信号などを記録してある再生メディアである。７１１は再生メディア７１２から映像音声信号などを検出する再生部である。７１５は再生部から送信される映像信号を受信する映像信号制御部である。７１４は再生部から送信される音声信号を受信する音声信号制御部である。７１３は再生部７１１から番組頭出し情報を検出する番組頭出し信号制御部である。７１６は再生部７１１から記録位置管理情報を検出するＣＴＬ信号検出部である。７１７はＣＴＬ信号検出７１６からの指示と番組頭出し信号制御部７１３からの指示により磁気テープを制御するＶＣＲメカである。７２２は映像音声信号などを記録できる記録メディアである。７２１は記録メディア７２２に映像音声信号など記録する記録部である。７２５は映像信号制御部７１５より送信される映像信号を受信する映像信号制御部である。７２４は音声信号制御部７１４より送信される音声信号を受信する音声信号制御部である。７２３は番組頭出し信号制御部７１３より送信される番組頭出し信号を受信する番組分割制御部である。
【００６１】
以上のように構成された映像音声信号記録再生装置について、図７を用いてその動作を説明する。まず、再生部７１１によって映像音声信号などを再生メディア７１２から検出する。映像信号制御部７１５は映像信号を再生部７１１より受信し映像信号制御部７２５へ送信し、映像信号制御部７２５は記録部７２１へ送信する。音声信号制御部７１４は音声信号を再生部７１１より受信し音声信号制御部７２４へ送信し、音声信号制御部７２４は記録部７２１へ送信する。番組頭出し制御部７１３は再生内容に番組頭出し信号が含まれていればを再生部７１１より受信し番組分割制御部７２３へ送信する。番組頭出し信号を受信した番組分割制御部７２３は記録部７２１の映像信号と音声信号の記録を停止する。ＣＴＬ信号検出部７１６は記録位置管理情報を再生部７１１より検出することによりＶＣＲメカ７１７へ磁気テープを制御するための指示を送信する。番組頭出し信号を受信した番組頭出し信号御部７２３はＶＣＲメカ７１７へ磁気テープを制御するための指示を送信する。ＶＣＲメカ７１７はこれら２つの指示が揃う事で、磁気テープの走行を停止し、あらかじめ決められた記録時間分を巻き戻す。番組頭出し信号制御部７１３は磁気テープの巻き戻しの完了と再度再生可能になったのを確認し番組分割制御部７２３へ記録メディアに対する記録再開要求を送信する。記録再開要求を受信した番組分割制御部７２３は記録部７２１へ記録を再開させる指示を送信する。
【００６２】
以上のように本実施の形態７によれば、再生装置７１０内に番組頭出し信号制御部７１３と記録装置７２０内に番組分割制御部７２３を設けることにより、使用者は容易に再生メディアに記録された複数の番組を全く欠損させることなく記録メディアに対して番組分割してダビングを実行させることが出来る。
【００６３】
（実施の形態８）
図８は、本発明の実施の形態８による映像音声信号記録再生装置の構成を示すブロック図である。
【００６４】
図８において、一体型機器８００は、１つの筐体に複数の再生装置８１０と記録装置８２０を含む機器であり、再生装置８１０はＶＣＲ機能を有し記録装置８２０は記録型ＤＶＤ機能を有していている。
【００６５】
８１２は映像音声信号などを記録してある再生メディアである。８１１は再生メディア８１２から映像音声信号などを検出する再生部である。８１３は再生部８１１より送信される映像音声信号を受信する映像音声信号制御部である。８１４は再生部８１１で検出した番組頭出し信号を検出する番組頭出し信号検出部である。８２２は映像音声信号などを記録できる記録メディアである。８２１は記録メディア８２２に映像音声信号など記録する記録部である。８２３は映像音声信号制御部８１３よりより送信される映像音声信号を受信する映像音声信号制御部である。８２４は番組頭出し信号検出部８１４より送信される番組頭出し信号を保持するメモリである。８２５は記録部８２１の記録動作が全て完了した後にメモリ８２４に蓄えられた番組頭出し信号により記録された映像音声信号を分割するため記録位置を記録部８２１へ指示する番組分割制御部である。
【００６６】
以上のように構成された映像音声信号記録再生装置について、図８を用いてその動作を説明する。まず、再生部８１１は再生メディア８１２より映像音声信号などを検出する。映像音声信号制御部８１３は再生部８１１より映像音声信号を受信し映像音声信号制御部８２３へ送信する。映像音声信号制御部８２３は映像音声信号を記録部８２１へ送信し記録部８２１は記録メディア８２２へ記録を行う。再生部８１１より番組頭出し信号を受信した番組頭出し信号検出部８１４はその信号を検出するたびにメモリ８２４へ送信し、メモリ８２４は送信された時の記録メディアの記録位置を記憶する。この時記憶する記録位置は実際の記録位置よりも若干早めの位置を記憶することで、再生部８１１で検出した番組頭出し信号の磁気テープ位置と記録部８２１で記録される位置とのタイムラグが解消される。記録部８２１の記録動作が完了した時、メモリ８２４に蓄えられた情報によった番組分割制御部８２５の指示により、記録部８２１は記録メディアに記録されている映像音声信号を分割する。
【００６７】
以上のように本実施の形態８によれば、記録装置８２０内にメモリ８２４と番組分割制御部８２５を設けることにより、使用者は容易に再生メディアに記録された複数の番組を全く欠損させることなく記録メディアに対して番組分割してダビングを実行させることが出来る。
【００６８】
（実施の形態９）
図９は本発明の実施の形態９による映像音声信号記録再生装置の構成を示すブロック図である。
【００６９】
図９において、一体型機器９００は、１つの筐体に複数の再生装置９１０と記録装置９２０を含む機器であり、再生装置９１０は記録型もしくは再生型ＤＶＤ機能を有し記録装置９２０はＶＣＲ機能を有していている。
【００７０】
９１２は映像音声信号などを記録してある再生メディアである。９１１は再生メディア９１２から映像音声信号などを検出する再生部である。９１３は再生部９１１より送信される映像音声信号を受信する映像音声信号制御部である。９１４は再生部で検出した番組の切換りから番組切換り信号を作成する番組切換り信号制御部である。９２２は映像音声信号などを記録できる記録メディアである。９２１は記録メディア９２２に映像音声信号など記録する記録部である。９２３は映像音声信号制御部９１３より送信される映像音声信号を受信する映像音声信号制御部である。９２４は番組切換り信号制御検出部９１４より送信される番組切換り信号を記録部９２１へ送信する番組頭出し信号書き込み部である。
【００７１】
以上のように構成された映像音声信号記録再生装置について、図９を用いてその動作を説明する。まず、再生部９１１は再生メディア９１２より映像音声信号などを検出する。映像音声信号制御部９１３は再生部９１１より映像音声信号を受信し映像音声信号制御部９２３へ送信する。映像音声信号制御部９２３は映像音声信号を記録部９２１へ送信し記録部９２１は記録メディア９２２へ記録を行う。再生部９１１より番組の切換りを検出した番組切換り信号制御部９１４は番組切換り信号を作成し番組頭出し信号書込み部９２４はその信号を検出するたびに記録部９２１へ番組頭出し信号を送信する。番組頭出し信号を受信した記録部９２１は記録メディア９２２に記録している映像音声信号と共に番組頭出し信号を書き込む。これはＶＨＳ規格のＶＩＳＳ信号として知られている。
【００７２】
以上のように本実施の形態９によれば、再生装置９１０内に番組切換り信号制御部９１４と記録装置９２０内に番組頭出し信号書き込み部を設けることにより、使用者は容易に光ディスクなどに記録された複数の番組を磁気テープにダビングする際に、容易にＶＩＳＳ信号を書き込む事が出来る。
【００７３】
なお、上記各実施の形態においては、個々の特徴部分について説明したが、各実施の形態を全て、あるいは幾つかを含む様に組み合わせて実施することが可能である。
【００７４】
【発明の効果】
以上のように本発明は、特に異なるメディア間でのダビングに際して、１つのスイッチにより所定の処理を実行することにより、容易にダビングを実行させることが出来、また再生メディアに記録されている複数の番組を全く欠損させることなく番組の分割管理を行えるといういう優れた効果が得られる。
【図面の簡単な説明】
【図１】本発明の実施の形態１による映像音声信号記録再生装置の構成を示すブロック図
【図２】同実施の形態２による映像音声信号記録再生装置の構成を示すブロック図
【図３】同実施の形態３による映像音声信号記録再生装置の構成を示すブロック図
【図４】同実施の形態４による映像音声信号記録再生装置の構成を示すブロック図
【図５】同実施の形態５による映像音声信号記録再生装置の構成を示すブロック図
【図６】同実施の形態６による映像音声信号記録再生装置の構成を示すブロック図
【図７】同実施の形態７による映像音声信号記録再生装置の構成を示すブロック図
【図８】同実施の形態８による映像音声信号記録再生装置の構成を示すブロック図
【図９】同実施の形態９による映像音声信号記録再生装置の構成を示すブロック図
【図１０】従来の映像音声信号記録再生装置の構成を示すブロック図
【符号の説明】
１００、２００、３００、４００、５００、６００、７００、８００、９００
一体型機器
１１０、２１０、３１０、４１０、５１０、６１０、７１０、８１０、９１１
再生装置
１１１、２１２、３１２、５１２、６１２、７１２、８１２、９１２  再生メディア
１２０、２２０、３２０、４２０、５２０、６２０、７２０、８２０、９２０
記録装置
１２１、４２２、５２２、６２２、７２２、８２２、９２２  記録メディア
１３０、２３０、３３０、４３０、５３０、６３０  スイッチ
１４０、２４０、３４０、４４０、５４０、６４０  ダビング制御部
２１１、３１１、５１１、６１１、７１１、８１１、９１１  再生部
２１３、５１３、５２３、７１４、７２４  音声信号制御部
３１３、７１５、７２５  映像信号制御部
３１４  オンスクリーン制御部
４２１、５２１、６２１、７２１、８２１、９２１  記録部
４２３  チューナー／外部入力制御部
４２４  入力信号制御部
４２５  ダビング入力制御部
５２４  記録メディア判別部
６１３、６２３  番組情報制御部
７１３、８１４  番組頭出し信号制御部
７１６  ＣＴＬ信号検出部
７１７  ＶＣＲメカ
７２３、８２５  番組分割制御部
８１３、８２３、９１３、９２３  映像音声信号制御部
８２４  メモリ
９１４  番組切り替わり信号制御部
９２４  番組頭出し信号書き込み部
【図１】
2004289594.tif 000003
【図２】
2004289594.tif 000004
【図３】
2004289594.tif 000005
【図４】
2004289594.tif 000006
【図５】
2004289594.tif 000007
【図６】
2004289594.tif 000008
【図７】
2004289594.tif 000009
【図８】
2004289594.tif 000010
【図９】
2004289594.tif 000011
【図１０】
2004289594.tif 000012